(57)【要約】【課題】自動二輪車の後方の映像をキャプチャし、計器板に表示する自動二輪車の後方映像表示装置を提供する。【解決手段】自動二輪車の後方映像表示装置は、自動二輪車１の車体に接続され、自動二輪車１の後方の映像をキャプチャし、対応する信号を出力する少なくとも１つの撮像ユニット２と、自動二輪車１の計器板に接続された少なくとも１つの表示ユニット３と、撮像ユニット２及び表示ユニット３にそれぞれ接続され、撮像ユニット２から表示ユニット３へ信号を伝送する制御ユニット４と、制御ユニット４に接続され、制御ユニット４へ始動信号を出力する起動ユニット５とを備える。【選択図】図１
0003157113.tif 000002
【実用新案登録請求の範囲】
【請求項１】
自動二輪車の車体に接続され、前記自動二輪車の後方の映像をキャプチャし、対応する信号を出力する少なくとも１つの撮像ユニットと、
前記自動二輪車の計器板に接続された少なくとも１つの表示ユニットと、
前記撮像ユニット及び前記表示ユニットにそれぞれ接続され、前記撮像ユニットから前記表示ユニットへ信号を伝送する制御ユニットと、
前記制御ユニットに接続され、前記制御ユニットへ始動信号を出力する起動ユニットと、を備えることを特徴とする自動二輪車の後方映像表示装置。
【請求項２】
前記撮像ユニットは、外筒、レンズ、フィルタ及び光センサ素子を有する撮像装置であることを特徴とする請求項１に記載の自動二輪車の後方映像表示装置。
【請求項３】
前記表示ユニットは液晶表示装置を含むことを特徴とする請求項１に記載の自動二輪車の後方映像表示装置。
【考案の詳細な説明】
【技術分野】
【０００１】
本考案は、自動二輪車の後方映像表示装置に関し、特に、自動二輪車の後方の映像をキャプチャし、計器板に表示する自動二輪車の後方映像表示装置に関する。
【背景技術】
【０００２】
一般に、自動二輪車には、後方の状況を見ることができるバックミラーがハンドルの左右両側に設けられている。しかし、例えば、左右両側に設けられたバックミラーの角度が調整できないタイプの場合、自動二輪車の左後方及び右後方の非常に狭い範囲しか見ることができず、真後ろなど死角になった場所が見えにくく、進路変更を行うときに危険な状況が発生する虞があり理想的でなかった。また、角度の調整が可能なバックミラーの場合、走行中に片手で角度を調整するときに自動二輪車の運転が不安定となる虞があった。さらに、大型自動二輪車が車道の中央部分を走行する場合、バックミラーで見ることができる範囲が狭くて隣の車道が見えないため、車線を変更するとき非常に危険な状況が発生する虞があった。
【０００３】
そのため、自動二輪車の計器板に後方の広角度映像をリアルタイムで表示し、ライダーに後方の状況を見せることができる自動二輪車の後方映像表示装置が求められていた。
【考案の概要】
【考案が解決しようとする課題】
【０００４】
本考案の目的は、自動二輪車の計器板に後方の広角度映像をリアルタイムで表示し、ライダーに後方の状況を見せることができる自動二輪車の後方映像表示装置を提供することにある。
【課題を解決するための手段】
【０００５】
上記課題を解決するために、本考案の第１の形態によれば、自動二輪車の車体に接続され、前記自動二輪車の後方の映像をキャプチャし、対応する信号を出力する少なくとも１つの撮像ユニットと、前記自動二輪車の計器板に接続された少なくとも１つの表示ユニットと、前記撮像ユニット及び前記表示ユニットにそれぞれ接続され、前記撮像ユニットから前記表示ユニットへ信号を伝送する制御ユニットと、前記制御ユニットに接続され、前記制御ユニットへ始動信号を出力する起動ユニットと、を備えることを特徴とする自動二輪車の後方映像表示装置が提供される。
【０００６】
また、前記撮像ユニットは、外筒、レンズ、フィルタ及び光センサ素子を有する撮像装置であることが好ましい。
【０００７】
また、前記表示ユニットは液晶表示装置を含むことが好ましい。
【考案の効果】
【０００８】
本考案の自動二輪車の後方映像表示装置は、自動二輪車の計器板に後方の広角度映像をリアルタイムで表示し、ライダーに後方の状況を見せることができる。
【図面の簡単な説明】
【０００９】
【図１】本考案の一実施形態による自動二輪車の後方映像表示装置を示すブロック図である。
【図２】本考案の一実施形態による自動二輪車の撮像ユニットの取付け位置を示す模式図である。
【図３】本考案の一実施形態による自動二輪車の表示ユニットの取付け位置を示す模式図である。
【図４】本考案の他の実施形態による自動二輪車の撮像ユニットの取付け位置を示す模式図である。
【図５】本考案の他の実施形態による自動二輪車の表示ユニットの取付け位置を示す模式図である。
【図６】本考案の一実施形態による自動二輪車の後方映像表示装置を使用するときの状態を示す模式図である。
【考案を実施するための形態】
【００１０】
以下、本考案の実施形態について図に基づいて説明する。なお、これによって本考案が限定されるものではない。
【００１１】
図１及び図２を参照する。図１及び図２に示すように、本考案の一実施形態による自動二輪車の後方映像表示装置の自動二輪車１は、撮像ユニット２、表示ユニット３、制御ユニット４及び起動ユニット５を含む。
【００１２】
図１及び図２に示すように、撮像ユニット２は、自動二輪車１の車体１１の所定の箇所（例えば、車体１１の後部、両側、ブレーキランプ、方向指示ランプ、マッドガードなど）に接続し、自動二輪車１の後方の映像をキャプチャし、対応した映像信号を出力する。撮像ユニット２は、外筒、レンズ、フィルタ及び光センサ素子を有する撮像装置でもよい。光センサ素子は、電荷結合素子（Ｃｈａｒｇｅ  Ｃｏｕｐｌｅｄ  Ｄｅｖｉｃｅ：ＣＣＤ）又はＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）でもよい。本実施形態の撮像装置は、車体、ランプカバー又はマッドガードの内側に装着し、映像をキャプチャするために用いるレンズだけが自動二輪車１の後方に向けて露出されている。
【００１３】
図３に示すように、表示ユニット３は、自動二輪車１の計器板１２に設けられ、撮像ユニット２がキャプチャした映像を表示するために用いる液晶表示装置（ＬＣＤ）３１を含む。
【００１４】
制御ユニット４は、撮像ユニット２及び表示ユニット３にそれぞれ接続され、撮像ユニット２の映像信号を処理する。例えば、制御ユニット４は、撮像ユニット２から受信した映像信号をアナログ信号からデジタル信号に変換し、表示ユニット３へ送信する。
【００１５】
起動ユニット５は、制御ユニット４に接続し、始動信号を制御ユニット４へ出力し、自動二輪車の後方に設けられた撮像装置を起動する。また、起動ユニット５は、自動二輪車１のイグニッションスイッチに接続したり、ハンドルに設けられた制御スイッチ５１に接続したりしてもよい。
【００１６】
本実施形態の自動二輪車の後方映像表示装置は、自動二輪車１の所定の箇所に、撮像ユニット２、表示ユニット３、制御ユニット４及び起動ユニット５が設けられ、自動二輪車１の電源に接続したり、独立した電源６に接続したりする。
【００１７】
図４及び図５に示すように、本考案の一実施形態による自動二輪車の後方映像表示装置は、車体１１の後部、両側、ブレーキランプ、方向指示ランプ、マッドガードなどの箇所に配置され、制御ユニット４にそれぞれ接続され、自動二輪車１の車体１１の所定の箇所にそれぞれ設けられた２組の撮像ユニット２と、自動二輪車１の計器板１２に配列され、制御ユニット４とそれぞれ接続され、２組の撮像ユニット２がキャプチャした映像をそれぞれ表示するために用いる２組の表示ユニット３とを含む。
【００１８】
図２及び図４に示すように、本考案の一実施形態による自動二輪車の後方映像表示装置は、実際に使用するとき、ライダーがイグニッションスイッチにキーを差込んで自動二輪車１を起動し、起動ユニット５から制御ユニット４へ始動信号を出力して撮像ユニット２を制御し、自動二輪車の後方の映像をキャプチャし始めたり、ライダーがイグニッションスイッチにキーを差込んで自動二輪車１を起動し、ハンドルに設けられた制御スイッチ５１を押圧すると、起動ユニット５から制御ユニット４へ始動信号を出力し、撮像ユニット２により自動二輪車の後方の映像をキャプチャし始めたりしてもよい。撮像ユニット２がキャプチャした映像信号は、制御ユニット４に伝送される。制御ユニット４は、この映像信号の処理及び変換を行ってから、表示ユニット３へ伝送する。表示ユニット３の液晶表示装置３１により、自動二輪車の後方映像を表示することにより（図３及び図５に示す）、ライダーは、液晶表示装置３１を介して後方の状況を容易に見ることができる。ライダーが自動二輪車１のイグニッションスイッチを切ると、起動ユニット５から制御ユニット４にオフ信号が伝送され、映像表示装置がオフされる。
【００１９】
さらに、図５及び図６に示すように、自動二輪車１は、車体１１に２組以上の撮像ユニット２が接続され、計器板１２に２組以上の表示ユニット３が接続された場合、２組以上の撮像ユニット２により、自動二輪車１の真後ろ、左後方、右後方及び両側の車線の映像をそれぞれキャプチャし、２組の表示ユニット３の液晶表示装置３１により表示する。これにより、本考案の自動二輪車の後方映像表示装置は、ライダーが２台の液晶表示装置３１を用いて自動二輪車後方の道路状況を容易に識別かつ監視し、車線を変更する際の安全性を高めることができる。
【００２０】
上述したことから分かるように、本考案の自動二輪車の後方映像表示装置は、撮像ユニット、表示ユニット、制御ユニット及び起動ユニットを含み、自動二輪車の後方の映像を撮像ユニットによりキャプチャし、表示ユニットで表示することにより、ライダーは後方の状況を見ることができる。
【００２１】
当該分野の技術を熟知するものが理解できるように、本考案の好適な実施形態を前述の通り開示したが、これらは決して本考案を限定するものではない。本考案の主旨と領域を脱しない範囲内で各種の変更や修正を加えることができる。従って、本考案の実用新案登録請求の範囲は、このような変更や修正を含めて広く解釈されるべきである。
【符号の説明】
【００２２】
１  自動二輪車
２  撮像ユニット
３  表示ユニット
４  制御ユニット
５  起動ユニット
６  電源
１１  車体
１２  計器板
３１  液晶表示装置
５１  制御スイッチ
【図１】
0003157113.tif 000003
【図２】
0003157113.tif 000004
【図３】
0003157113.tif 000005
【図４】
0003157113.tif 000006
【図５】
0003157113.tif 000007
【図６】
0003157113.tif 000008